Podtech/llm-jp-corpus-v4-ja_patent huggingface dataset:
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
遊技球の入球を契機に、当りか否かの当り抽選の権利が付与され得る始動口と、
前記始動口へ入球した遊技球を検知する入球検知手段と、
前記当り抽選を行う当り抽選手段と、
前記当り抽選の抽選結果を導出する結果導出演出を導出手段に実行させる結果導出演出制御手段と、
前記当り抽選に当選した場合の当りの種類を決定する当り種決定手段と、
前記当り抽選に当選した場合に当該当選の対象となる結果導出演出の終了後、前記当り種決定手段が決定した当りの種類に基づき特別入賞手段の開放及び閉鎖を制御する開閉制御手段と、
前記開閉制御手段によって前記特別入賞手段が開放されているとき、前記特別入賞手段が開放されていることを遊技者に報知する報知演出の報知手段における実行状態を制御する報知演出制御手段と、
前記当り抽選に当選したことを示す当り信号を遊技機外部へ出力する信号出力手段と、を備え、
前記開閉制御手段は、
前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、
前記当りの種類には、当り遊技の開始から所定回数目までの前記特別入賞手段の開放を前記第２の開放状態とした後、次の前記特別入賞手段の開放が前記第１の開放状態へ切り替わる短縮後特殊当りが含まれ、
前記報知演出制御手段は、
前記短縮後特殊当りに基づき前記開閉制御手段が前記特別入賞手段の開放及び閉鎖を制御する際において前記特別入賞手段の開放状態が前記第２の開放状態から前記第１の開放状態へ切り替えられるタイミングに合わせて、前記報知演出の実行状態を第２の実行状態から第１の実行状態へ切り替え、
前記信号出力手段は、
前記短縮後特殊当りに基づき前記開閉制御手段が前記特別入賞手段の開放及び閉鎖を制御する際において前記特別入賞手段の開放状態が前記第２の開放状態から前記第１の開放状態へ切り替えられるタイミングに合わせて、前記当り信号を出力することを特徴とする遊技機。
【請求項２】
前記当りの種類には、前記特別入賞手段の１回目の開放を前記第１の開放状態とする特別当りが含まれ、
前記報知演出制御手段は、
前記特別当りに基づき前記開閉制御手段が前記特別入賞手段の開放及び閉鎖を制御する際において前記特別入賞手段の１回目の開放が開始するタイミングに合わせて、前記報知演出の実行状態を前記第１の実行状態とし、
前記信号出力手段は、
前記特別当りに基づく当り遊技の開始に合わせて、前記当り信号を出力することを特徴とする請求項１に記載の遊技機。
【請求項３】
前記報知演出の実行状態が前記第１の実行状態であるときには前記報知手段にて報知演出が実行される一方、前記報知演出の実行状態が前記第２の実行状態であるときには前記報知手段にて報知演出が実行されないことを特徴とする請求項１又は請求項２に記載の遊技機。
【手続補正２】
【補正対象書類名】明細書
【補正対象項目名】０００６
【補正方法】変更
【補正の内容】
【０００６】
上記問題点を解決するために、請求項１に記載の発明は、遊技球の入球を契機に、当りか否かの当り抽選の権利が付与され得る始動口と、前記始動口へ入球した遊技球を検知する入球検知手段と、前記当り抽選を行う当り抽選手段と、前記当り抽選の抽選結果を導出する結果導出演出を導出手段に実行させる結果導出演出制御手段と、前記当り抽選に当選した場合の当りの種類を決定する当り種決定手段と、前記当り抽選に当選した場合に当該当選の対象となる結果導出演出の終了後、前記当り種決定手段が決定した当りの種類に基づき特別入賞手段の開放及び閉鎖を制御する開閉制御手段と、前記開閉制御手段によって前記特別入賞手段が開放されているとき、前記特別入賞手段が開放されていることを遊技者に報知する報知演出の報知手段における実行状態を制御する報知演出制御手段と、前記当り抽選に当選したことを示す当り信号を遊技機外部へ出力する信号出力手段と、を備え、前記開閉制御手段は、前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、前記当りの種類には、当り遊技の開始から所定回数目までの前記特別入賞手段の開放を前記第２の開放状態とした後、次の前記特別入賞手段の開放が前記第１の開放状態へ切り替わる短縮後特殊当りが含まれ、前記報知演出制御手段は、前記短縮後特殊当りに基づき前記開閉制御手段が前記特別入賞手段の開放及び閉鎖を制御する際において前記特別入賞手段の開放状態が前記第２の開放状態から前記第１の開放状態へ切り替えられるタイミングに合わせて、前記報知演出の実行状態を第２の実行状態から第１の実行状態へ切り替え、前記信号出力手段は、前記短縮後特殊当りに基づき前記開閉制御手段が前記特別入賞手段の開放及び閉鎖を制御する際において前記特別入賞手段の開放状態が前記第２の開放状態から前記第１の開放状態へ切り替えられるタイミングに合わせて、前記当り信号を出力することを要旨とする。
【手続補正３】
【補正対象書類名】明細書
【補正対象項目名】０００７
【補正方法】変更
【補正の内容】
【０００７】
請求項２に記載の発明は、請求項１に記載の遊技機において、前記当りの種類には、前記特別入賞手段の１回目の開放を前記第１の開放状態とする特別当りが含まれ、前記報知演出制御手段は、前記特別当りに基づき前記開閉制御手段が前記特別入賞手段の開放及び閉鎖を制御する際において前記特別入賞手段の１回目の開放が開始するタイミングに合わせて、前記報知演出の実行状態を前記第１の実行状態とし、前記信号出力手段は、前記特別当りに基づく当り遊技の開始に合わせて、前記当り信号を出力することを要旨とする。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
表示演出を実行可能な表示装置を備える遊技機において、
前記表示装置の前側を移動可能な可動体と、
前記可動体を第１位置および第２位置の間で移動させる駆動手段と、
前記可動体に形成されて前後に開口して、可動体が第２位置にある状態で表示装置の前側に臨む開口部と、
前記表示装置における可動体の移動経路と前後に重なる位置に設定された特定領域に特定表示を表示可能な制御手段とを備え、
前記可動体が第１位置にある状態で前側から視認可能な特定領域の特定表示は、前記可動体が第１位置と第２位置との間を移動する途中では可動体に重なって隠されると共に、前記可動体が第２位置にある状態では前記開口部に特定領域が臨んで特定表示が前側から視認し得るように構成した
ことを特徴とする遊技機。
【請求項２】
前記開口部は、第２位置から第１位置に向かう側に開口して、前記可動体が第１位置にある状態で前記駆動手段が開口部の開口内に位置するよう構成した請求項１記載の遊技機。
【請求項３】
前記制御手段は、前記可動体が第１位置にある状態で前記特定領域に表示する特定表示と、前記可動体が第２位置にある状態で前記特定領域に表示する特定表示とを異ならせるよう前記表示装置の表示を制御する請求項１または２記載の遊技機。
【手続補正２】
【補正対象書類名】明細書
【補正対象項目名】０００１
【補正方法】変更
【補正の内容】
【０００１】
この発明は、表示装置を備えた遊技機に関するものである。
【手続補正３】
【補正対象書類名】明細書
【補正対象項目名】０００６
【補正方法】変更
【補正の内容】
【０００６】
すなわち本発明は、従来の技術に係る遊技機に内在する前記課題に鑑み、これを好適に解決するべく提案されたものであって、表示装置の表示と可動体の動作とによって遊技の興趣を向上し得る遊技機を提供することを目的とする。
【手続補正４】
【補正対象書類名】明細書
【補正対象項目名】０００７
【補正方法】変更
【補正の内容】
【０００７】
前記課題を克服し、所期の目的を達成するため、本願の請求項１に係る発明は、
表示演出を実行可能な表示装置(H)を備える遊技機において、
前記表示装置(H)の前側を移動可能な可動体(102)と、
前記可動体(102)を第１位置および第２位置の間で移動させる駆動手段(122)と、
前記可動体(102)に形成されて前後に開口して、可動体(102)が第２位置にある状態で表示装置(H)の前側に臨む開口部(175,176)と、
前記表示装置(H)における可動体(102)の移動経路と前後に重なる位置に設定された特定領域(H1a)に特定表示を表示可能な制御手段とを備え、
前記可動体(102)が第１位置にある状態で前側から視認可能な特定領域(H1a)の特定表示は、前記可動体(102)が第１位置と第２位置との間を移動する途中では可動体(102)に重なって隠されると共に、前記可動体(102)が第２位置にある状態では前記開口部(175,176)に特定領域(H1a)が臨んで特定表示が前側から視認し得るように構成したことを要旨とする。
【手続補正５】
【補正対象書類名】明細書
【補正対象項目名】００１０
【補正方法】変更
【補正の内容】
【００１０】
請求項３に係る発明では、
前記制御手段は、前記可動体(102)が第１位置にある状態で前記特定領域(H1a)に表示する特定表示と、前記可動体(102)が第２位置にある状態で前記特定領域(H1a)に表示する特定表示とを異ならせるよう前記表示装置(H)の表示を制御することを要旨とする。
請求項３の発明によれば、あたかも可動体の動作によって特定表示の内容が変化したという感覚を付与することが可能となるので、可動体の動作に遊技者の興味をより一層惹きつけることができる。
【手続補正６】
【補正対象書類名】明細書
【補正対象項目名】００１１
【補正方法】変更
【補正の内容】
【００１１】
本発明に係る遊技機によれば、表示装置に表示される特定表示と可動体の動作とに遊技者の興味を惹きつけて、遊技の興趣を向上し得る。
【手続補正７】
【補正対象書類名】明細書
【補正対象項目名】００６８
【補正方法】変更
【補正の内容】
【００６８】
遊技機については、実施例から以下の技術的思想を把握することができる。
(付記１)
請求項３に記載の遊技機において、
当りか否かを判定する当り判定手段での判定結果が肯定の場合に、遊技者に有利な遊技を行なうよう構成され、
前記特定表示は、表示形態が異なる複数の可動前特定表示および各可動前特定表示の夫々に対応するよう設定されると共に前記当り判定手段の判定結果が肯定である期待値が異なる複数の可動後特定表示を含み、
前記制御手段は、前記可動体(102)が第１位置にある状態では、複数の可動前特定表示から決定した１つの可動前特定表示を特定領域に表示すると共に、前記可動体(102)が第２位置にある状態では、可動体(102)が第１位置にある状態で特定領域に表示されていた可動前特定表示に対応する複数の可動後特定表示から決定した１つの可動後特定表示を特定領域に表示するよう構成する。
付記１の発明によれば、当りとなっている期待値が異なる特定表示を特定領域に表示することで、可動体が動作することに対する遊技者の興味を高めることができる。
【手続補正８】
【補正対象書類名】明細書
【補正対象項目名】００７０
【補正方法】変更
【補正の内容】
【００７０】
２０ 遊技領域，１０２ 可動体，１２２ 駆動モータ(駆動手段)
１７５,１７６ 開口部，Ｄ 遊技盤，Ｈ 図柄表示装置(表示装置)，Ｈ１ａ 特定領域
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前側に設けられた遊技盤と、該遊技盤に配設され、開口部を介して図柄表示装置の表示部を前側に臨ませる枠状装飾部材とを備え、前記遊技領域は、前記枠状装飾部材の左側を遊技球が流下する第１球流下経路および枠状装飾部材の右側を遊技球が流下する第２球流下経路を有するよう構成された遊技機において、
前記枠状装飾部材は、
前記開口部を形成する枠状基部と、
前記枠状基部に設けられて前記遊技盤の前面より前方に突出し、前記遊技領域と図柄表示装置の表示領域を区切る庇状部と、
前記庇状部の後縁から外方に延出し、前記遊技盤の前面に当接して固定手段で遊技盤に固定される台板部とを備え、
前記庇状部は、前記開口部の上方に臨んで前記第２球流下経路を画成する転動面を有し、
前記台板部は、前記転動面における第１球流下経路側の端部より下側に設けた
ことを特徴とする遊技機。
【請求項２】
前記転動面から前記第２球流下経路に突出する規制リブを備え、
前記第２球流下経路は、遊技球１個分の幅寸法より大きく、かつ遊技球２個分の幅寸法より小さな幅寸法に設定されて、前記第２球流下経路を流下する遊技球が前記規制リブに接触するよう構成され、
前記規制リブにおける第２球流下経路側の突出端までの突出寸法は、遊技球の半分の幅寸法より小さく設定される請求項１記載の遊技機。
【請求項３】
前記第１球流下経路の上方で開口する打出し口を介して遊技球が遊技領域に打ち出されるよう構成され、
前記枠状装飾部材の庇状部に、前記転動面における第１球流下経路側の端部に接続して転動面から下がる段部が設けられ、該段部には前記台板部が設けられている請求項１または２記載の遊技機。
【請求項４】
前記遊技盤には、前記遊技領域における前記打出し口とは反対側の上部側方に、前記遊技領域に打ち出された遊技球に当って減勢可能な減勢部が前記庇状部から離間して設けられ、該減勢部に当った遊技球が落下する前記庇状部には前記台板部が設けられている請求項３記載の遊技機。
【手続補正２】
【補正対象書類名】明細書
【補正対象項目名】００１０
【補正方法】変更
【補正の内容】
【００１０】
前記課題を克服し、所期の目的を達成するため、本願の請求項１に係る発明は、
遊技球が流下する遊技領域(20a)が前側に設けられた遊技盤(20)と、該遊技盤(20)に配設され、開口部(31a)を介して図柄表示装置(18)の表示部を前側に臨ませる枠状装飾部材(31)とを備え、前記遊技領域(20a)は、前記枠状装飾部材(31)の左側を遊技球が流下する第１球流下経路(21)および枠状装飾部材(31)の右側を遊技球が流下する第２球流下経路(22)を有するよう構成された遊技機において、
前記枠状装飾部材(31)は、
前記開口部(31a)を形成する枠状基部(37)と、
前記枠状基部(37)に設けられて前記遊技盤(20)の前面より前方に突出し、前記遊技領域(20a)と図柄表示装置(18)の表示領域を区切る庇状部(38)と、
前記庇状部(38)の後縁から外方に延出し、前記遊技盤(20)の前面に当接して固定手段(40)で遊技盤(20)に固定される台板部(39)とを備え、
前記庇状部(38)は、前記開口部(31a)の上方に臨んで前記第２球流下経路(22)を画成する転動面(45)を有し、
前記台板部(39)は、前記転動面(45)における第１球流下経路(21)側の端部より下側に設けたことを要旨とする。
【手続補正３】
【補正対象書類名】明細書
【補正対象項目名】００１２
【補正方法】変更
【補正の内容】
【００１２】
請求項２に係る発明では、前記転動面(45)から前記第２球流下経路(22)に突出する規制リブ(51)を備え、
前記第２球流下経路(22)は、遊技球１個分の幅寸法より大きく、かつ遊技球２個分の幅寸法より小さな幅寸法に設定されて、前記第２球流下経路(22)を流下する遊技球が前記規制リブ(51)に接触するよう構成され、
前記規制リブ(51)における第２球流下経路(22)側の突出端までの突出寸法は、遊技球の半分の幅寸法より小さく設定されることを要旨とする。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
表示部に演出を表示可能な表示装置を備える遊技機において、
前記表示部を画成する縁部から中央部側に向けて進退移動可能で、縁部側に位置して表示部を前側から視認可能な第１位置および表示部と前後に重なった部分を前側から視認不能に覆う第２位置の間を移動可能な複数の可動体と、
前記複数の可動体の少なくとも１つの可動体に形成されて前後に開口して、該可動体が第２位置にある状態では表示部の前側に臨む開口部とを備え、
前記複数の可動体が第２位置に移動することで、表示部の略全体が前側から視認不能に覆われると共に前記開口部を介して表示部の一部が前側に露出して視認し得るように構成した
ことを特徴とする遊技機。
【請求項２】
前記開口部は、第２位置から第１位置に向かう側に開口して、該開口部が形成された前記可動体が第１位置にある状態で該可動体を移動させる駆動手段が開口部の開口内に位置するよう構成した請求項１記載の遊技機。
【請求項３】
表示情報を前記表示部に表示させる制御手段を備え、
前記表示部には、前記複数の可動体が第２位置に移動した際に覆われる第１表示領域と、前記開口部が形成された可動体が第２位置に移動した際に該開口部に臨む第２表示領域とが設定され、
前記制御手段は、第１表示領域が視認可能な状態で、該第１表示領域に表示情報を表示させ、第１表示領域が前記複数の可動体で覆われた際に、該第１表示領域に表示している表示情報を前記第２表示領域に表示する請求項１または２記載の遊技機。
【手続補正２】
【補正対象書類名】明細書
【補正対象項目名】０００１
【補正方法】変更
【補正の内容】
【０００１】
この発明は、表示装置を備えた遊技機に関するものである。
【手続補正３】
【補正対象書類名】明細書
【補正対象項目名】０００６
【補正方法】変更
【補正の内容】
【０００６】
すなわち本発明は、従来の技術に係る遊技機に内在する前記課題に鑑み、これを好適に解決するべく提案されたものであって、表示装置の表示と可動体の動作とによって遊技の興趣を向上し得る遊技機を提供することを目的とする。
【手続補正４】
【補正対象書類名】明細書
【補正対象項目名】０００７
【補正方法】変更
【補正の内容】
【０００７】
前記課題を克服し、所期の目的を達成するため、本願の請求項１に係る発明は、
表示部(H1)に演出を表示可能な表示装置(H)を備える遊技機において、
前記表示部(H1)を画成する縁部から中央部側に向けて進退移動可能で、縁部側に位置して表示部(H1)を前側から視認可能な第１位置および表示部(H1)と前後に重なった部分を前側から視認不能に覆う第２位置の間を移動可能な複数の可動体(43,53,61,71)と、
前記複数の可動体(43,53,61,71)の少なくとも１つの可動体(61)に形成されて前後に開口して、該可動体(61)が第２位置にある状態では表示部(H1)の前側に臨む開口部(64)とを備え、
前記複数の可動体(43,53,61,71)が第２位置に移動することで、表示部(H1)の略全体が前側から視認不能に覆われると共に前記開口部(64)を介して表示部(H1)の一部が前側に露出して視認し得るように構成したことを要旨とする。
【手続補正５】
【補正対象書類名】明細書
【補正対象項目名】０００８
【補正方法】変更
【補正の内容】
【０００８】
請求項１の発明によれば、複数の可動体によって表示装置における表示部の略全体を覆っても、表示部の表示を可動体の開口部を介して遊技者に視認させることができる。すなわち、可動体の開口部を介して視認し得る表示を遊技者に注目させることができ、興趣の向上を図り得る。
【手続補正６】
【補正対象書類名】明細書
【補正対象項目名】００１０
【補正方法】変更
【補正の内容】
【００１０】
請求項３に係る発明では、
表示情報を前記表示部(H1)に表示させる制御手段を備え、
前記表示部(H1)には、前記複数の可動体(43,53,61,71)が第２位置に移動した際に覆われる第１表示領域(H1a)と、前記開口部(64)が形成された可動体(61)が第２位置に移動した際に該開口部(64)に臨む第２表示領域(H1b)とが設定され、
前記制御手段は、第１表示領域(H1a)が視認可能な状態で、該第１表示領域(H1a)に表示情報を表示させ、第１表示領域(H1a)が前記複数の可動体(43,53,61,71)で覆われた際に、該第１表示領域(H1a)に表示している表示情報を前記第２表示領域(H1b)に表示することを要旨とする。
請求項３の発明によれば、可動体の動作前に第１表示領域に表示されていた表示情報を、可動体が動作して第１表示領域が覆われた状態でも可動体の開口部を介して視認することができる。
【手続補正７】
【補正対象書類名】明細書
【補正対象項目名】００５１
【補正方法】変更
【補正の内容】
【００５１】
１０ 遊技領域，４３ 第１装飾部材(可動体)，５３ 第２装飾部材(可動体)
６１ 第３装飾部材(可動体)，６２Ａ 第３駆動モータ(駆動手段)，６４ 開口部
７１ 第４装飾部材(可動体)，Ｄ 遊技盤，Ｈ 図柄表示装置(表示装置)，
Ｈ１ 表示部，Ｈ１ａ 第１表示領域，Ｈ１ｂ 第２表示領域
【手続補正書】
【提出日】平成26年9月30日(2014.9.30)
【手続補正１】
【補正対象書類名】特許請求の範囲
【補正対象項目名】請求項１
【補正方法】変更
【補正の内容】
【請求項１】
図柄を変動させて行う図柄変動ゲームが大当りとなるか否かを判定する大当り判定手段と、前記大当り判定手段による判定結果に基づいて、図柄を変動させて行う図柄変動ゲームを表示する表示手段と、前記表示手段の表示制御を行う表示制御手段と、を備え、前記図柄変動ゲームにおいて予め定めた大当り表示結果が表示された場合には、遊技者に有利となる大当り遊技が生起される遊技機において、
前記表示手段は、実行が保留されている図柄変動ゲームを示す保留画像を表示させる保留表示領域と、図柄変動ゲームの実行が開始される場合に、該実行が開始される図柄変動ゲームを示す保留画像を表示する保留実行表示領域とを有し、
前記表示制御手段は、図柄変動ゲームの実行が開始される場合に、前記保留表示領域に表示されていた保留画像を前記保留実行表示領域に移動させる表示制御を行い、所定条件が成立すると、前記保留実行表示領域に表示されている保留画像を被覆する被覆画像を表示させ、該被覆画像が表示されていた被覆画像表示領域に、該保留画像とは異なる遊技者にとっての有利度合いを示す予告画像を表示させる制御を行う遊技機。
【手続補正２】
【補正対象書類名】明細書
【補正対象項目名】０００５
【補正方法】変更
【補正の内容】
【０００５】
しかしながら、このような遊技機において、実行が保留されている図柄変動ゲームや実行が開始される図柄変動ゲームを対象として保留画像を用いて予告演出を実行させるが、保留画像を用いる予告演出によって、遊技に対する興趣の向上を図ることが望まれている。
【手続補正３】
【補正対象書類名】明細書
【補正対象項目名】０００６
【補正方法】変更
【補正の内容】
【０００６】
この発明は、このような従来の技術に存在する問題点に着目してなされたものであり、その目的は、遊技に対する興趣の向上を図ることができる遊技機を提供することにある。
【手続補正４】
【補正対象書類名】明細書
【補正対象項目名】０００７
【補正方法】変更
【補正の内容】
【０００７】
上記問題点を解決するために、請求項１に記載の発明は、図柄を変動させて行う図柄変動ゲームが大当りとなるか否かを判定する大当り判定手段と、前記大当り判定手段による判定結果に基づいて、図柄を変動させて行う図柄変動ゲームを表示する表示手段と、前記表示手段の表示制御を行う表示制御手段と、を備え、前記図柄変動ゲームにおいて予め定めた大当り表示結果が表示された場合には、遊技者に有利となる大当り遊技が生起される遊技機において、前記表示手段は、実行が保留されている図柄変動ゲームを示す保留画像を表示させる保留表示領域と、図柄変動ゲームの実行が開始される場合に、該実行が開始される図柄変動ゲームを示す保留画像を表示する保留実行表示領域とを有し、前記表示制御手段は、図柄変動ゲームの実行が開始される場合に、前記保留表示領域に表示されていた保留画像を前記保留実行表示領域に移動させる表示制御を行い、所定条件が成立すると、前記保留実行表示領域に表示されている保留画像を被覆する被覆画像を表示させ、該被覆画像が表示されていた被覆画像表示領域に、該保留画像とは異なる遊技者にとっての有利度合いを示す予告画像を表示させる制御を行うことを要旨とする。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
二次電池と、
前記二次電池の充電を行う充電時間情報を取得する取得部と、
前記充電時間情報に基づいて充電電力値を算出し、前記算出した充電電力値で前記二次電池を充電するよう制御する充電制御部と、
を備える、蓄電装置。
【請求項２】
前記蓄電装置は、前記二次電池の電池残量を検知する検知部をさらに備え、
前記充電制御部は、前記二次電池の電池残量と目標充電量との差分および前記充電時間情報に基づいて充電電力値を算出する、請求項１に記載の蓄電装置。
【請求項３】
前記充電制御部は、前記差分を満たすために必要な充電電力値を算出する、請求項２に記載の蓄電装置。
【請求項４】
前記蓄電装置は、ユーザのスケジュール情報を記憶する記憶部をさらに備え、
前記取得部は、前記記憶部に記憶するスケジュール情報に基づいて、前記充電時間情報を算出する、請求項１から３のいずれか１項に記載の蓄電装置。
【請求項５】
前記蓄電装置は、
前記蓄電装置の利用履歴を記憶する記憶部と、
前記記憶部に記憶する利用履歴に基づいて、ユーザが前記蓄電装置の利用を開始する利用開始時刻を予測する予測部と、
をさらに備え、
前記取得部は、前記予測部により予測された前記蓄電装置の利用開始時刻に基づき前記充電時間情報を算出する、請求項１から４のいずれか１項に記載の蓄電装置。
【請求項６】
前記取得部は、ユーザにより充電時間情報が入力される、請求項１から５のいずれか１項に記載の蓄電装置。
【請求項７】
前記充電制御部は、前記充電時間情報と前記充電電力値に応じて充電方式を選択する、請求項１から６のいずれか１項に記載の蓄電装置。
【請求項８】
前記取得部は、充電時間制御装置がユーザのスケジュール情報に基づいて算出した充電時間情報を受信する、請求項１から７のいずれか１項に記載の蓄電装置。
【請求項９】
二次電池の充電を行う充電時間情報を取得するステップと、
前記充電時間情報に基づいて充電電力値を算出するステップと、
前記算出した充電電力値で前記二次電池を充電するよう制御するステップと、
を含む、蓄電方法。
【請求項１０】
二次電池の充電を行う充電時間情報を取得する処理と、
前記充電時間情報に基づいて充電電力値を算出する処理と、
前記算出した充電電力値で前記二次電池を充電するよう制御する処理と、
をコンピュータに実行させる、プログラム。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
二次電池を有する蓄電装置の電池情報に基づき算出された前記蓄電装置の今後の劣化度合いに応じて、複数の蓄電装置から充電する蓄電装置を選択する充電制御部と、
前記充電制御部により選択された蓄電装置に充電指示を送信する送信部と、
を備える、充電制御装置。
【請求項２】
前記電池情報は、前記蓄電装置の累積放電電力情報と充電回数情報を含み、
前記充電制御装置は、
前記累積放電電力情報と、前記蓄電装置の放電電力理論値に基づいて、前記蓄電装置の劣化度合いを算出する第１の算出部と、
前記第１の算出部で算出された前記蓄電装置の劣化度合いと、前記充電回数情報に基づいて、前記蓄電装置の今後の劣化度合いを算出する第２の算出部と、
をさらに備える、請求項１に記載の充電制御装置。
【請求項３】
前記充電制御部は、必要消費電力値と前記複数の蓄電装置の電池容量の総和を比較し、前記必要消費電力値が前記複数の蓄電装置の電池容量の総和より少ない場合に、前記複数の蓄電装置から少なくとも１の蓄電装置を選択する、請求項１または２に記載の充電制御装置。
【請求項４】
前記充電制御部は、前記選択された蓄電装置の電池容量の総和が前記必要消費電力値を満たすよう、前記今後の劣化度合いが最も低い蓄電装置から順に選択する、請求項３に記載の充電制御装置。
【請求項５】
前記充電制御部は、前記選択された蓄電装置の電池容量の総和が前記必要消費電力値を満たすよう、前記複数の蓄電装置の今後の電池容量の総和が大きくなるよう蓄電装置を選択する、請求項３に記載の充電制御装置。
【請求項６】
前記充電制御部は、前記選択された蓄電装置の電池容量の総和が前記必要消費電力値を満たすよう、前記今後の電池容量が多い蓄電装置から順に選択する、請求項３に記載の充電制御装置。
【請求項７】
二次電池を有する蓄電装置の電池情報に基づき算出された前記蓄電装置の今後の劣化度合いに応じて、複数の蓄電装置から充電する蓄電装置を選択するステップと、
前記選択された蓄電装置に充電指示を送信するステップと、
を含む、充電制御方法。
【請求項８】
二次電池を有する蓄電装置の電池情報に基づき算出された前記蓄電装置の今後の劣化度合いに応じて、複数の蓄電装置から充電する蓄電装置を選択する処理と、
前記選択された蓄電装置に充電指示を送信する処理と、
をコンピュータに実行させる、プログラム。
【請求項９】
二次電池と、
電池情報を充電制御装置に送信する送信部と、
を有する複数の蓄電装置と；
前記複数の蓄電装置から送信された前記電池情報に基づき算出された前記蓄電装置の今後の劣化度合いに応じて、複数の前記蓄電装置から充電する蓄電装置を選択する充電制御部と、
前記充電制御部により選択された蓄電装置に充電指示を送信する送信部と、
を有する充電制御装置と；
を備える、充電制御システム。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
以下の工程（ａ）から工程（ｄ）を順番に含むことを特徴とする、心筋細胞、内皮細胞および壁細胞を含む心筋シートを製造する方法。
（ａ）内皮細胞および壁細胞の混合細胞を用意する工程
（ｂ）心筋細胞を用意する工程
（ｃ）前記工程（ａ）で用意した内皮細胞および壁細胞の混合細胞と前記工程（ｂ）で用意した心筋細胞とを、細胞数で１：１の比率で混合する工程
（ｄ）前記工程（ｃ）で得られた混合細胞を温度応答性ポリマーを被覆した培養器材上でＶＥＧＦを含む培地中で培養することによりシートを形成させる工程
【請求項２】
前記工程（ａ）の混合細胞または前記工程（ｂ）の心筋細胞がＦｌｋ／ＫＤＲ陽性細胞から得られる、請求項１に記載の方法。
【請求項３】
前記Ｆｌｋ／ＫＤＲ陽性細胞が、多能性と自己複製による増殖能を有する幹細胞をゼラチン被覆培養器材上で培養することにより得られる、請求項２に記載の方法。
【請求項４】
前記工程（ａ）の混合細胞が、Ｆｌｋ／ＫＤＲ陽性細胞をＶＥＧＦおよび８−ブロモ−ｃＡＭＰの存在下で培養する工程を含む方法によって得られる、請求項２または３に記載の方法。
【請求項５】
前記工程（ｂ）の心筋細胞が、Ｆｌｋ／ＫＤＲ陽性細胞を、シクロスポリンＡの存在下で培養する工程を含む方法によって得られる、請求項２または３に記載の方法。
【請求項６】
前記工程（ｃ）において、Ｆｌｋ／ＫＤＲ陽性細胞をさらに混合する、請求項１〜５のいずれか１項に記載の方法。
【請求項７】
前記Ｆｌｋ／ＫＤＲ陽性細胞を１〜７日間培養した後に、心筋細胞、ならびに、内皮細胞および壁細胞の混合細胞を混合させる、請求項６に記載の方法。
【請求項８】
前記工程（ｄ）で得られたシートを積層化する工程をさらに含む、請求項１〜７のいずれか１項に記載の方法。
【請求項９】
前記積層化が３層である、請求項８に記載の方法。
【請求項１０】
請求項１〜９のいずれか１項に記載の方法で得られた心筋シートを含む心疾患治療剤。
【手続補正書】
【提出日】平成26年3月29日(2014.3.29)
【手続補正１】
【補正対象書類名】特許請求の範囲
【補正対象項目名】全文
【補正方法】変更
【補正の内容】
【特許請求の範囲】
【請求項１】
花粉アレルゲンによる、花粉症に対するワクチン療法の有効性を予測するための方法であって、
（１）対象者への花粉アレルゲンによるワクチン療法の適用による、当該対象者から単離された単核球における、ＣＣＬ２、ＩＧＨＡ１及びＮＣＦ１からなる群から選択される少なくとも１つの遺伝子の発現の変化を測定すること；及び
（２）（１）において測定した発現の変化と、花粉アレルゲンによる、花粉症に対するワクチン療法の有効性とを相関付けること
を含む、方法。
【請求項２】
スギ花粉アレルゲンによる、スギ花粉症に対するワクチン療法の有効性を予測するための方法であって、
（１）対象者へのスギ花粉アレルゲンによるワクチン療法の適用による、当該対象者から単離された単核球における、ＣＣＬ２、ＩＧＨＡ１及びＮＣＦ１からなる群から選択される少なくとも１つの遺伝子の発現の変化を測定すること；及び
（２）（１）において測定した発現の変化と、スギ花粉アレルゲンによる、スギ花粉症に対するワクチン療法の有効性とを相関付けること
を含む、方法。
【請求項３】
スギ花粉アレルゲンがＣｒｙＪ１又はＣｒｙＪ２を含む、請求項２記載の方法。
【請求項４】
ワクチン療法が、花粉アレルゲン又はスギ花粉アレルゲンを口腔粘膜投与することにより行われる、請求項１〜３のいずれか１項に記載の方法。
【請求項５】
花粉アレルゲンによる、花粉症に対するワクチン療法の有効性を予測するための診断薬であって、
（ａ）ＣＣＬ２をコードするｍＲＮＡ又はｃＤＮＡを特異的に検出し得る核酸プローブ又は核酸プライマー、又はＣＣＬ２を特異的に認識し得る抗体、
（ｂ）ＩＧＨＡ１をコードするｍＲＮＡ又はｃＤＮＡを特異的に検出し得る核酸プローブ又は核酸プライマー、又はＩＧＨＡ１を特異的に認識し得る抗体、及び
（ｃ）ＮＣＦ１をコードするｍＲＮＡ又はｃＤＮＡを特異的に検出し得る核酸プローブ又は核酸プライマー、又はＮＣＦ１を特異的に認識し得る抗体、からなる群から選択される少なくとも１つを含む、診断薬。
【請求項６】
スギ花粉アレルゲンによる、スギ花粉症に対するワクチン療法の有効性を予測するための診断薬であって、
（ａ）ＣＣＬ２をコードするｍＲＮＡ又はｃＤＮＡを特異的に検出し得る核酸プローブ又は核酸プライマー、又はＣＣＬ２を特異的に認識し得る抗体、
（ｂ）ＩＧＨＡ１をコードするｍＲＮＡ又はｃＤＮＡを特異的に検出し得る核酸プローブ又は核酸プライマー、又はＩＧＨＡ１を特異的に認識し得る抗体、及び
（ｃ）ＮＣＦ１をコードするｍＲＮＡ又はｃＤＮＡを特異的に検出し得る核酸プローブ又は核酸プライマー、又はＮＣＦ１を特異的に認識し得る抗体、からなる群から選択される少なくとも１つを含む、診断薬。
【請求項７】
以下の（Ａ）及び（Ｂ）を含むキット：
（Ａ）花粉アレルゲンを含む、花粉症に対するワクチン、及び
（Ｂ）（ａ）ＣＣＬ２をコードするｍＲＮＡ又はｃＤＮＡを特異的に検出し得る核酸プローブ又は核酸プライマー、又はＣＣＬ２を特異的に認識し得る抗体、
（ｂ）ＩＧＨＡ１をコードするｍＲＮＡ又はｃＤＮＡを特異的に検出し得る核酸プローブ又は核酸プライマー、又はＩＧＨＡ１を特異的に認識し得る抗体、及び
（ｃ）ＮＣＦ１をコードするｍＲＮＡ又はｃＤＮＡを特異的に検出し得る核酸プローブ又は核酸プライマー、又はＮＣＦ１を特異的に認識し得る抗体、
からなる群から選択される少なくとも１つ。
【請求項８】
以下の（Ａ）及び（Ｂ）を含むキット：
（Ａ）スギ花粉アレルゲンを含む、スギ花粉症に対するワクチン、及び
（Ｂ）（ａ）ＣＣＬ２をコードするｍＲＮＡ又はｃＤＮＡを特異的に検出し得る核酸プローブ又は核酸プライマー、又はＣＣＬ２を特異的に認識し得る抗体、
（ｂ）ＩＧＨＡ１をコードするｍＲＮＡ又はｃＤＮＡを特異的に検出し得る核酸プローブ又は核酸プライマー、又はＩＧＨＡ１を特異的に認識し得る抗体、及び
（ｃ）ＮＣＦ１をコードするｍＲＮＡ又はｃＤＮＡを特異的に検出し得る核酸プローブ又は核酸プライマー、又はＮＣＦ１を特異的に認識し得る抗体、
からなる群から選択される少なくとも１つ。
【請求項９】
スギ花粉アレルゲンがＣｒｙＪ１又はＣｒｙＪ２を含む、請求項８記載のキット。
【請求項１０】
ワクチンが、口腔粘膜投与用製剤である、請求項７〜９のいずれか１項に記載のキット。
【請求項１１】
構成要件（Ｂ）がアレイとして提供される、請求項７〜９のいずれか１項に記載のキット。
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
車両の外部にある電源から漏電遮断器を経由した電力線を介して前記車両に搭載した蓄電池を充電する車載充電装置であって、
前記車両に関する車両情報を蓄積する記憶部と、
前記記憶部に蓄積された前記車両情報を前記車両の外部へ送信することが必要であると判断したとき、前記漏電遮断器を閉路するための制御信号を出力した後、前記電力線を通信回線として用いてＰＬＣ通信の回線確立を行ない、前記記憶部に蓄積された前記車両情報を前記車両の外部への送信する前記車両側ＰＬＣ通信制御部と、
を備えることを特徴とする車載充電装置。
【請求項２】
前記車両側ＰＬＣ通信制御部は、前記車両の外部にある電源から前記車両に搭載した蓄電池への充電が行われていないときに、前記漏電遮断器を閉路するための前記制御信号を出力する、
請求項１に記載の車載充電装置。
【請求項３】
前記車両側ＰＬＣ通信制御部は、所定のデータサイズ以上の前記車両情報が前記記憶部に蓄積されたときに、前記車両情報を前記車両の外部へ送信することが必要であると判断し、ＰＬＣ通信の回線確立後、前記記憶部に蓄積された送信可能な前記車両情報のすべてを前記車両の外部へ送信する、ことを特徴とする請求項１または請求項２に記載の車載充電装置。
【請求項４】
前記記憶部に蓄積された前記車両情報はカテゴリごとに優先度が設定され、
前記車両側ＰＬＣ通信制御部は、前記優先度が所定のレベルより高い前記車両情報が前記記憶部に蓄積されたとき前記車両情報を前記車両の外部へ送信することが必要であると判断し、ＰＬＣ通信の回線確立後、前記記憶部に蓄積された送信可能な前記車両情報のすべてを前記車両の外部へ送信する、
ことを特徴とする請求項１または請求項２に記載の車載充電装置。
【請求項５】
前記記憶部に蓄積された前記車両情報はカテゴリごとに優先度が設定され、
前記車両側ＰＬＣ通信制御部は、前記優先度が所定のレベルより高い前記車両情報が前記記憶部に蓄積されたとき前記車両情報を前記車両の外部へ送信することが必要であると判断し、ＰＬＣ通信の回線確立後、前記記憶部に蓄積された前記優先度が所定のレベルより高い前記車両情報を前記車両の外部へ送信する、
ことを特徴とする請求項１または請求項２に記載の車載充電装置。
【請求項６】
前記記憶部に蓄積された前記車両情報のカテゴリごとに優先度係数とデータサイズとの乗算で求まる評価値が設定され、
前記車両側ＰＬＣ通信制御部は、前記評価値が所定値より高い前記車両情報が前記記憶部に蓄積されたとき前記車両情報を前記車両の外部へ送信することが必要であると判断し、ＰＬＣ通信の回線確立後、前記記憶部に蓄積された送信可能な前記車両情報のすべてを前記車両の外部へ送信する、
ことを特徴とする請求項１または請求項２に記載の車載充電装置。
【請求項７】
前記記憶部に蓄積された前記車両情報のカテゴリごとに優先度係数とデータサイズとの乗算で求まる評価値が設定され、
前記車両側ＰＬＣ通信制御部は、前記評価値が所定値より高い前記車両情報が前記記憶部に蓄積されたとき前記車両情報を前記車両の外部へ送信することが必要であると判断し、ＰＬＣ通信の回線確立後、前記記憶部に蓄積された前記評価値が所定値より高い前記車両情報を前記車両の外部へ送信する、
ことを特徴とする請求項１または請求項２に記載の車載充電装置。
【請求項８】
前記車両側ＰＬＣ通信制御部は、前記漏電遮断器が電力線を遮断しているとの情報を受信した場合に、前記記憶部に蓄積された前記車両情報を前記車両の外部へ送信することが必要であるか否かの判断を行う、ことを特徴とする請求項１または請求項２に記載の車載充電装置。
【請求項９】
前記車両情報は、前記車両の故障検知情報、電池漏電検知情報、緊急を要するセンサカメラ画像、車室内温度異常情報、充電率低下情報、センサ振動検知情報、メンテナンス情報、定期的なセンサカメラ画像、または、サーバに定期送信する走行履歴情報、のうちの少なくとも１つの情報である、ことを特徴とする請求項１から請求項８のいずれか一項に記載の車載充電装置。
【請求項１０】
前記車両側ＰＬＣ通信制御部は、前記故障検知情報、前記電池漏電検知情報、前記緊急を要するセンサカメラ画像、前記車室内温度異常情報、または、前記充電率低下情報が前記記憶部に蓄積されると、前記記憶部に蓄積された前記車両情報を前記車両の外部へ送信することが必要であると判断する、ことを特徴とする請求項９に記載の車載充電装置。
【請求項１１】
前記車両側ＰＬＣ通信制御部は、前記車両情報が送信された後に、送信が完了した前記車両情報を前記記憶部から削除する、ことを特徴とする請求項１から請求項１０のいずれか一項に記載の車載充電装置。
【請求項１２】
前記車両側ＰＬＣ通信制御部は、前記車両情報を送信完了できない場合であって、かつ、ＰＬＣ通信の回線確立をしていない場合は、前記車両情報の優先度が所定の優先度レベルより低い車両情報を前記記憶部から削除する、ことを特徴とする請求項４から請求項７のいずれか一項に記載の車載充電装置。
【請求項１３】
前記車両側ＰＬＣ通信制御部は、前記漏電遮断器から漏電ありの情報を受信した場合は、前記漏電遮断器を閉路するための前記制御信号を送信しない、ことを特徴とする請求項１から請求項１２のいずれか一項に記載の車載充電装置。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
蓄電池とともに蓄電設備を構成し、
前記蓄電池における充放電を管理する電力管理装置からの前記蓄電池における充放電の指示を受信する通信部と、
前記指示に基づき前記蓄電池における充放電を制御する制御部と、
該制御部による制御に従い、電力網からの電力を前記蓄電池に供給し、前記蓄電池に蓄えられた電力を前記電力網へ伝送するパワーコンディショナと
を備える
充放電制御装置。
【請求項２】
前記通信部は、前記蓄電池における蓄電量を示す蓄電情報を前記電力管理装置に送信する
請求項１に記載の充放電制御装置。
【請求項３】
前記制御部は、前記指示に基づき前記パワーコンディショナの動作を切り替えることにより前記蓄電池における充放電を制御する
請求項１または２に記載の充放電制御装置。
【請求項４】
蓄電池とともに蓄電設備を構成する充放電制御装置から送信される、前記蓄電池における蓄電量を示す蓄電情報を受信する通信部と、
前記蓄電情報で示される蓄電量に応じたポイントを前記蓄電設備ごとに発行するポイント発行部と、
を備える
電力管理装置。
【請求項５】
さらに、前記蓄電池に蓄えられた電力の電力網への伝送および電力網からの電力の前記蓄電池への供給の指示を生成する電力管理部を備え、
前記通信部は前記電力管理部による指示を前記充放電制御装置に送信する
請求項４に記載の電力管理装置。
【請求項６】
前記ポイント発行部は、前記蓄電情報で示される前記蓄電量が増加している場合には、前記ポイントを増加させる
請求項４または５に記載の電力管理装置。
【請求項７】
前記ポイント発行部は、前記蓄電量が前記蓄電設備の保有者による電力の使用により減少した場合には、前記ポイントを減少させる
請求項４から６のいずれかに記載の電力管理装置。
【請求項８】
前記ポイント発行部は、前記蓄電量が前記電力管理部による放電の指示により減少した場合には、前記ポイントの増減は行わない
請求項５から７のいずれかに記載の電力管理装置。
【請求項９】
前記電力管理部は、電力市場における電力価格に基づいて、前記蓄電池に蓄えられた電力の電力網への伝送および電力網からの電力の蓄電池への供給の指示を生成する
請求項５から８のいずれかに記載の電力管理装置。
【請求項１０】
前記電力管理部は、前記電力市場における前記電力価格が所定の価格より低い場合には、前記電力網からの電力を前記蓄電池へ供給する指示を生成する
請求項９に記載の電力管理装置。
【請求項１１】
前記電力管理部は、前記電力市場における前記電力価格が所定の価格より高い場合には、前記蓄電池に蓄電された電力を電力網への伝送する指示を生成する
請求項９または１０に記載の電力管理装置。
【請求項１２】
前記蓄電量と前記ポイントとのレートを決定するポイントレート決定部をさらに備える
請求項４から１１のいずれかに記載の電力管理装置。
【請求項１３】
前記ポイントレート決定部は、電力市場における電力価格の平均値に基づいて前記レートを決定する
請求項１２に記載の電力管理装置。
【請求項１４】
蓄電池を備える蓄電設備から送信される、前記蓄電池における蓄電量を示す蓄電情報を受信し、
前記蓄電情報で示される蓄電量に応じたポイントを前記蓄電設備ごとに発行する
電力管理方法。
【請求項１５】
蓄電池とともに蓄電設備を構成し、
前記蓄電池における充放電を管理する電力管理装置からの前記蓄電池における充放電の指示を受信するとともに、前記電力管理装置へ前記蓄電池における蓄電量を示す蓄電情報を送信する通信部と、
前記指示に基づき前記蓄電池における充放電を制御する制御部と、
該制御部による制御に従い、電力網からの電力を前記蓄電池に供給し、前記蓄電池に蓄えられた電力を前記電力網へ伝送するパワーコンディショナと
を備える充放電制御装置と、
該充放電制御装置から送信される、前記蓄電池における蓄電量を示す蓄電情報を受信する通信部と、
前記蓄電情報で示される蓄電量に応じたポイントを前記蓄電設備ごとに発行するポイント発行部と、
前記充放電制御装置に対して、前記蓄電池に蓄電された電力の電力網への伝送および電力網からの電力の前記蓄電池への供給の指示する電力管理部と、
を備える電力管理装置
とからなる
電力管理システム。
【手続補正書】
【提出日】平成26年3月3日(2014.3.3)
【手続補正１】
【補正対象書類名】明細書
【補正対象項目名】００７７
【補正方法】変更
【補正の内容】
【００７７】
前述のように、インバータ回路３のスイッチ素子にハードスイッチングを行なわせることなく、インバータ回路を安定に動作させるためには、インバータ回路３の出力電流の出力電圧に対する位相を遅れ位相の範囲（図６の使用可能領域Ｂ1ないしＢ3の範囲）に維持することが必要である。本実施形態においては、電力制御部３０がインピーダンス調整器３１を制御して負荷側インピーダンスの抵抗分を増減させることにより負荷に与える高周波電力を設定値に近づけるか又は許容範囲に保つ制御を行なう過程で、インバータ回路３の出力電流の位相を出力電圧の位相に対して遅れた状態に保つように、周波数制御部１２がインバータ回路の出力周波数を制御するが、負荷に供給される高周波電力の電力値を制御する過程で、可変コンデンサＶＣｘの静電容量がとる値によっては、周波数制御部１２によりインバータ回路３の出力周波数を制御しても、インバータ回路の出力電流の位相を出力電圧の位相に対して遅れ位相とすることができなくなる状態が生じるおそれがある。このような状態が生じると、インバータ回路から負荷側を見た回路のインピーダンスを誘導性の状態に維持することができなくなるため、インバータ回路を構成するスイッチ素子のスイッチング動作がハードスイッチングの状態になって、異常電圧が発生したり、出力波形が歪んだりするおそれがある。
【手続補正２】
【補正対象書類名】図面
【補正対象項目名】図２
【補正方法】変更
【補正の内容】
【図２】
2012210082.tif 000001
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
被駆動手段に付勢する振動板と、を備え、
前記振動板が前記被駆動手段を付勢する方向における前記振動板のヤング率ＥLと、前記付勢する方向に交差する方向における前記振動板のヤング率ＥSと、が異なる、
ことを特徴とする圧電アクチュエーター。
【請求項２】
前記振動板は圧延法により形成された板状基材を含む、
ことを特徴とする請求項１に記載の圧電アクチュエーター。
【請求項３】
前記ヤング率ＥLおよび前記ヤング率ＥSは、
ＥL＞ＥS
である、
ことを特徴とする請求項１または２に記載の圧電アクチュエーター。
【請求項４】
前記振動板に積層される圧電体と、を備え、
前記圧電体は、チタン酸ジルコン酸鉛（ＰＺＴ）を含む、
ことを特徴とする請求項１から３のいずれか一項に記載の圧電アクチュエーター。
【請求項５】
請求項１から４のいずれか一項に記載の圧電アクチュエーターと、
前記圧電アクチュエーターを前記被駆動手段に付勢する付勢手段と、を備える、
ことを特徴とするモーター。
【請求項６】
請求項５に記載のモーターを備えるロボットハンド。
【請求項７】
請求項６に記載のロボットハンドを備えるロボット。
【請求項８】
第１の辺、第２の辺、前記第１の辺と前記第２の辺との間をつなぐ第３の辺および第４の辺、を有する振動板と、を備え、
前記振動板は、前記第１の辺から突出し、かつ、被駆動部材と当接する突出部を有し、
前記第１の辺の中心と前記第２の辺の中心とを通る直線方向における前記振動板のヤング率ＥLと、前記第３の辺の中心と前記第４の辺の中心とを通る直線方向における前記振動板のヤング率ＥSと、が異なる、ことを特徴とする圧電アクチュエーター。
【請求項９】
前記振動板は圧延法により形成された板状基材を含む、
ことを特徴とする請求項８に記載の圧電アクチュエーター。
【請求項１０】
前記ヤング率ＥLおよび前記ヤング率ＥSは、
ＥL＞ＥS
である、
ことを特徴とする請求項８または９に記載の圧電アクチュエーター。
【請求項１１】
前記振動板に積層される圧電体と、を備え、
前記圧電体は、チタン酸ジルコン酸鉛（ＰＺＴ）を含む、
ことを特徴とする請求項８から１０のいずれか一項に記載の圧電アクチュエーター。
【請求項１２】
請求項８から１１のいずれか一項に記載の圧電アクチュエーターと、
前記圧電アクチュエーターを前記被駆動手段に付勢する付勢手段と、を備える、
ことを特徴とするモーター。
【請求項１３】
請求項１２に記載のモーターを備えるロボットハンド。
【請求項１４】
請求項１３に記載のロボットハンドを備えるロボット。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
第１の辺、第２の辺、前記第１の辺と前記第２の辺との間をつなぐ第３の辺および第４の辺、を有する振動板と、
前記第１の辺から前記第１の辺に略直交する方向に設けられた支持部と、を備え、
前記第１の辺に沿った方向の前記支持部の長さと、前記第１の辺から突出する方向の前記支持部の長さとの比が略１：１〜略１：４であることを特徴とする圧電アクチュエーター。
【請求項２】
請求項１に記載の圧電アクチュエーターであって、
前記第１の辺および前記第２の辺は、前記第３の辺および前記第４の辺よりも長いことを特徴とする圧電アクチュエーター。
【請求項３】
請求項１または２に記載の圧電アクチュエーターであって、
前記第１の辺の長さと前記第２の辺の長さは略等しく、
前記第３の辺の長さと前記第４の辺の長さは略等しいことを特徴とする圧電アクチュエーター。
【請求項４】
請求項１〜３のいずれか１項に記載の圧電アクチュエーターであって、前記比が略１：１であることを特徴とする圧電アクチュエーター。
【請求項５】
請求項１〜４のいずれか１項に記載の圧電アクチュエーターであって、前記比が略１：３〜略１：４の範囲内であることを特徴とする圧電アクチュエーター。
【請求項６】
請求項１〜５のいずれか１項に記載の圧電アクチュエーターであって、
前記振動板は、前記第１の辺の長さが略７．０ｍｍであり前記第３の辺の長さが略２．０ｍｍであることを特徴とする圧電アクチュエーター。
【請求項７】
請求項１〜６のいずれか１項に記載の圧電アクチュエーターであって、
前記振動板は、前記第１の辺の長さが略２１．０ｍｍであり前記第３の辺の長さが略５．６ｍｍであることを特徴とする圧電アクチュエーター。
【請求項８】
請求項１〜７のいずれか１項に記載の圧電アクチュエーターであって、
前記振動板及び前記支持部は一体形成されていることを特徴とする圧電アクチュエーター。
【請求項９】
請求項８に記載の圧電アクチュエーターであって、
前記振動板及び前記支持部はＳＵＳ３０１又はＦｅ−４２Ｎｉ合金を含むことを特徴とする圧電アクチュエーター。
【請求項１０】
請求項１〜９のいずれか１項に記載の圧電アクチュエーターを備えたことを特徴とするロボットハンド。
【請求項１１】
請求項１０に記載のロボットハンドを備えたことを特徴とするロボット。
【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
第１の辺、第２の辺、前記第１の辺および前記第２の辺と交わる第３の辺および第４の辺、を有する矩形の振動板と、を備え、
前記振動板は、前記第１の辺から突出し、かつ、被駆動部材と当接する第１の突出部と、前記第２の辺から突出する第２の突出部と、を有し、
前記第１の突出部と前記被駆動部材との当接点は、前記第１の辺の中点と前記第２の辺の中点とを通る第１の仮想線と、前記第３の辺を通る第２の仮想線との間に位置し、
前記第２の突出部は、前記第１の突出部が配置された位置に対して、前記振動板における略対角位置に配置されていることを特徴とする圧電アクチュエーター。
【請求項２】
請求項１に記載の圧電アクチュエーターであって、
前記第３の辺および前記第４の辺は、前記第１の辺および前記第２の辺よりも長いことを特徴とする圧電アクチュエーター。
【請求項３】
請求項１または２に記載の圧電アクチュエーターであって、
前記被駆動部材は、回動可能なローターであることを特徴とする圧電アクチュエーター。
【請求項４】
請求項３に記載の圧電アクチュエーターであって、
前記ローターの回転軸の中心と前記当接点とを通る第３の仮想線は、前記第１の仮想線と略平行であることを特徴とする圧電アクチュエーター。
【請求項５】
請求項１〜４のいずれか１項に記載の圧電アクチュエーターであって、
圧電素子と、を備え、
前記圧電素子は単板であることを特徴とする圧電アクチュエーター。
【請求項６】
請求項１〜５のいずれか１項に記載の圧電アクチュエーターであって、
前記第１の突出部の前記第１の仮想線方向の長さは、前記第２の突出部の前記第１の仮想線方向の長さよりも短いことを特徴とする圧電アクチュエーター。
【請求項７】
請求項１〜５のいずれか１項に記載の圧電アクチュエーターであって、
前記第１の辺の長さと前記第２の辺の長さは略等しく、
前記第３の辺の長さと前記第４の辺の長さは略等しく、
前記第３の辺の長さと、前記第１の辺の長さとの比は略７対２であることを特徴とする圧電アクチュエーター。
【請求項８】
請求項１〜７のいずれか１項に記載の圧電アクチュエーターを備えたことを特徴とするロボットハンド。
【請求項９】
請求項８に記載のロボットハンドを備えたことを特徴とするロボット。